(57)【要約】  【課題】  不審者の侵入等の危険な状況において、適切な音声制御を行える音声受信装置を提供する。  【解決手段】  拡声装置１０は、集音した音声をオーディオ信号に変換して無線送信する一つまたは複数のマイクロホン１１と、マイクロホン１１から送信されたオーディオ信号を受信し、オーディオ信号に基づく音声を拡声して出力する音声受信装置１３とを備える。音声受信装置１３は、マイクロホン１１の緊急スイッチ１２の操作に応じて送信される緊急信号を受信したときに、緊急モードでの音声出力制御を行う構成を有する。【選択図】  図１
2010257137.tif 000002
【特許請求の範囲】
【請求項１】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行う音声受信装置。
【請求項２】
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制する請求項１に記載の音声受信装置。
【請求項３】
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
遠隔の場所のために前記オーディオ信号を出力する信号出力部と、
を備え、
前記音量調整部は、前記緊急モードにおいて、スピーカに出力するオーディオ信号の音量を抑制する請求項１に記載の音声受信装置。
【請求項４】
前記音量調整部は、前記緊急モードにおいて、前記信号出力部に出力するオーディオ信号の音量を上げる請求項３に記載の音声受信装置。
【請求項５】
前記音量調整部は、前記緊急モードにおいて、複数のマイクロホンのうちで緊急信号を受信したマイクロホンからのオーディオ信号の音量と、他のマイクロホンからのオーディオ信号の音量を同じ方向に増減させる請求項１〜４のいずれかに記載の音声受信装置。
【請求項６】
前記音量調整部は、前記緊急モードにおいて、複数のマイクロホンのうちで緊急信号を受信したマイクロホンからのオーディオ信号の音量と、他のマイクロホンからのオーディオ信号の音量を反対の方向に増減させる請求項１〜４のいずれかに記載の音声受信装置。
【請求項７】
前記緊急信号の受信に応じて、前記緊急信号を外部に出力するための電気接点を有する請求項１〜６のいずれかに記載の音声受信装置。
【請求項８】
前記緊急信号の受信に応じて、前記緊急信号をネットワークに送信する請求項１〜６のいずれかに記載の音声受信装置。
【請求項９】
マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力する音声受信装置による音声処理方法であって、
前記音声受信装置が、前記マイクロホンから緊急信号を受信するステップと、
前記音声受信装置が、前記マイクロホンからのオーディオ信号および前記補助のオーディオ信号の音量を調整するステップであって、前記緊急信号を受信したときに、前記補助のオーディオ信号の音量を抑制するステップと、
前記音声受信装置が、前記オーディオ信号および前記補助のオーディオ信号に基づく音声を前記スピーカから出力するステップと、
を備える音声処理方法。
【請求項１０】
マイクロホンから送信されたオーディオ信号を無線によって受信し、前記オーディオ信号に基づく音声を拡声してスピーカから出力する音声受信装置による音声処理方法であって、
前記音声受信装置が、前記マイクロホンから緊急信号を受信するステップと、
前記音声受信装置が、前記緊急信号を受信したときに、前記スピーカから出力するオーディオ信号の音量を抑制するステップと、
前記音声受信装置が、前記緊急信号を受信したときに、遠隔の場所のために前記オーディオ信号を出力するステップと、
を備える音声処理方法。
【請求項１１】
マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力するためのプログラムであって、音声受信装置に備えられたコンピュータに、
前記マイクロホンから緊急信号を受信するステップと、
前記マイクロホンからのオーディオ信号および前記補助のオーディオ信号の音量を調整するステップであって、前記緊急信号を受信したときに、前記補助のオーディオ信号の音量を抑制するステップと、
前記オーディオ信号および前記補助のオーディオ信号に基づく音声を前記スピーカから出力するステップと、
を実行させるプログラム。
【請求項１２】
マイクロホンから送信されたオーディオ信号を無線によって受信し、前記オーディオ信号に基づく音声をスピーカから拡声して出力するために、音声受信装置に備えられたコンピュータに、
前記マイクロホンから緊急信号を受信するステップと、
前記緊急信号を受信したときに、前記スピーカに出力するオーディオ信号の音量を抑制するステップと、
前記緊急信号を受信したときに、遠隔の場所のために前記オーディオ信号を出力するステップと、
を実行させるプログラム。
【請求項１３】
マイクロホンと、
請求項１〜８のいずれかに記載の音声受信装置と、
を備え、
前記音声受信装置は、前記マイクロホンから前記オーディオ信号と前記マイクロホンの緊急スイッチの操作に応じた緊急信号とを受信する音声受信システム。
【請求項１４】
前記音声受信装置が設けられた空間には聞こえない音量で音声を出力する請求項１３に記載の音声受信システム。
【請求項１５】
マイクロホンと
請求項１〜８のいずれかに記載の音声受信装置と、
前記マイクロホンが含まれる空間を撮像するカメラと、
を備え、
前記音声受信装置は、緊急モードにおいて、前記オーディオ信号と緊急信号をカメラに入力し、
前記カメラは、前記オーディオ信号と、前記緊急信号と、前記カメラにて撮像した画像とをネットワークに送信する音声受信システム。
【発明の詳細な説明】
【技術分野】
【０００１】
本発明は、マイクロホンからの音声信号を受信する音声受信装置に関し、特に、学校の教室、教会、会議室、ホール等の建物内で用いられる音声受信装置に関する。
【背景技術】
【０００２】
近年、授業中の教室などに不審者が侵入して、生徒や教師を殺傷する事件が起きており、このような犯罪に対する様々な対策が講じられている。従来から、不審者の侵入等を保安センター等に知らせる警報を出力する警報装置が知られている。
【０００３】
特許文献１は、事件が発生した場所を特定して迅速かつ適切な対応を図ることのできる警報装置を開示している。この特許文献１に記載された警報装置は、各教室に警報スイッチを設け、警報スイッチが操作されると、放送室に非常信号が送信される。放送室では、非常信号に基づいて教室を特定し、特定された教室に対応する警報灯を表示する。これにより、どの教室に事件が起こっているかを迅速に把握できる。
【先行技術文献】
【特許文献】
【０００４】
【特許文献１】特開２００３−１８７３６３号公報
【発明の概要】
【発明が解決しようとする課題】
【０００５】
上記した特許文献１に記載された警報装置は、警報スイッチが教室の所定の場所に設けられている。警報スイッチのそばに生徒や教師がいない場合には、侵入者に気付かれないで警報スイッチを押すのは困難であった。警報スイッチが設置されている場所まで行くことや警報スイッチを押す行動を侵入者の目にさらすことは、教師や生徒の身の危険を増すおそれがあった。
【０００６】
また、特に、建物内で、拡声装置やその他の音響機器を使って教室内で教材を再生している場合には、それらの発する音により、教室の外から平常時の授業中との区別がつきづらく、対応の遅れにより被害が増すおそれがあった。また、侵入者にとって耳障りな拡声音が原因で、侵入者を逆上させるおそれがあった。また、被害者どうしの意思の疎通を図りにくく、混乱を招く可能性もあった。
【０００７】
本発明は、上記背景に鑑み、不審者の侵入等の危険な状況において、適切な音声制御を行い、危険な状況を通知することができる音声受信装置を提供することを目的とする。
【課題を解決するための手段】
【０００８】
本発明の音声受信装置は、集音した音声をオーディオ信号に変換して無線送信する一つまたは複数のマイクロホンから送信されたオーディオ信号を受信し、前記オーディオ信号に基づく音声を拡声して出力する音声受信装置であって、前記マイクロホンの緊急スイッチの操作に応じて送信される緊急信号を受信したときに、緊急モードでの音声出力制御を行う構成を有する。
【０００９】
この構成により、常に誰かの手元にあることの多いマイクロホンに備えられた緊急スイッチの操作に応じて送信される緊急信号を受信するので、侵入者に気付かれずに緊急モードの音声出力制御に切り替えることができる。
【００１０】
本発明の音声受信装置は、前記マイクロホンからオーディオ信号および緊急信号を受信する受信部と、前記マイクロホンとは異なる音源から補助のオーディオ信号を入力する入力部と、前記マイクロホンからのオーディオ信号および前記補助のオーディオ信号の音量を調整する音量調整部と、前記オーディオ信号および前記補助のオーディオ信号に基づく音声の出力部とを備え、前記音量調整部は、前記緊急モードにおいて、前記補助のオーディオ信号の音量を抑制する構成を有する。
【００１１】
この構成により、緊急時に不必要な補助の音源の音量を抑制するので、他の音声が聞こえやすくなる。他の音響機器などの補助の音源に邪魔されずに、マイクロホンが集音した音声で危険な状況を通知することができる。
【００１２】
本発明の音声受信装置は、前記マイクロホンからオーディオ信号および緊急信号を受信する受信部と、前記マイクロホンから受信したオーディオ信号の音量を調整する音量調整部と、前記オーディオ信号に基づく音声の出力部と、遠隔の場所のために前記オーディオ信号を出力する信号出力部とを備え、前記音量調整部は、前記緊急モードにおいて、スピーカに出力するオーディオ信号の音量を抑制する構成を有する。
【００１３】
この構成により、マイクロホンでの拡声を抑制するので、スピーカから出力された音声をマイクホンが再び集音してしまうことがなく、室内の音響反射によるエコーや、マイクロホンのスピーカに接近した場合のハウリングが起こりにくい。従って、遠隔の場所へ聴取性の良いオーディオ信号を出力できる。
【００１４】
本発明の音声受信装置において、前記音量調整部は、前記緊急モードにおいて、前記信号出力部に出力するオーディオ信号の音量を上げる構成を有する。
【００１５】
この構成により、遠隔の場所へオーディオ信号を適切に出力することができる。
【００１６】
本発明の音声受信装置において、前記音量調整部は、緊急モードにおいて、複数のマイクロホンのうちで緊急信号を受信したマイクロホンからのオーディオ信号の音量と、他のマイクロホンからのオーディオ信号の音量を同じ方向に増減させる構成を有する。
【００１７】
この構成により、緊急モードにおいて、緊急信号を送信したマイクロホンに連動して他のマイクロホンの音量を制御できる。
【００１８】
本発明の音声受信装置において、前記音量調整部は、緊急モードにおいて、複数のマイクロホンのうちで緊急信号を受信したマイクロホンからのオーディオ信号の音量と、他のマイクロホンからのオーディオ信号の音量を反対の方向に増減させる構成を有する。
【００１９】
この構成により、緊急モードにおいて、緊急信号を送信したマイクロホンに連動して他のマイクロホンの音量を制御できる。
【００２０】
本発明の音声受信装置は、前記緊急信号の受信に応じて、前記緊急信号を外部に出力するための電気接点を有する。
【００２１】
この構成により、緊急信号に応じて、外部の電子機器を制御することが可能となる。
【００２２】
本発明の音声受信装置は、前記緊急信号の受信に応じて、前記緊急信号をネットワークに送信する構成を有する。
【００２３】
この構成により、緊急信号をネットワークに接続された装置に通知することができる。
【００２４】
本発明の音声処理方法は、マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力する音声受信装置による音声処理方法であって、前記音声受信装置が前記マイクロホンから緊急信号を受信するステップと、前記音声受信装置が前記マイクロホンからのオーディオ信号および前記補助のオーディオ信号の音量を調整するステップであって、前記緊急信号を受信したときに、前記補助のオーディオ信号の音量を抑制するステップと、前記音声受信装置が、前記オーディオ信号および前記補助のオーディオ信号に基づく音声を前記スピーカから出力するステップとを備える。
【００２５】
この構成により、緊急時に不必要な補助の音源の音量を抑制するので、他の音声が聞こえやすくなる。他の音響機器などの補助の音源に邪魔されずに、マイクロホンが集音した音声で、危険な状況を通知することができる。
【００２６】
本発明の音声処理方法は、マイクロホンから送信されたオーディオ信号を無線によって受信し、前記オーディオ信号に基づく音声を拡声してスピーカから出力する音声受信装置による音声処理方法であって、前記音声受信装置が前記マイクロホンから緊急信号を受信するステップと、前記音声受信装置が、前記緊急信号を受信したときに、前記スピーカから出力するオーディオ信号の音量を抑制するステップと、前記音声受信装置が、前記緊急信号を受信したときに、遠隔の場所のために前記オーディオ信号を出力するステップとを備える。
【００２７】
この構成により、マイクロホンでの拡声を抑制するので、スピーカから出力された音声をマイクホンが再び集音してしまうことがなく、室内の音響反射によるエコーや、マイクロホンがスピーカに接近した場合のハウリングが起こりにくい。従って、遠隔の場所に聴取性の良いオーディオ信号を出力できる。
【００２８】
本発明のプログラムは、マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力するためのプログラムであって、音声受信装置に備えられたコンピュータに、前記マイクロホンから緊急信号を受信するステップと、前記マイクロホンからのオーディオ信号および前記補助のオーディオ信号の音量を調整するステップであって、前記緊急信号を受信したときに、前記補助のオーディオ信号の音量を抑制するステップと、前記オーディオ信号および前記補助のオーディオ信号に基づく音声を前記スピーカから出力するステップとを実行させる構成を有する。
【００２９】
この構成により、緊急時に不必要な補助の音源の音量を抑制するので、他の音声が聞こえやすくなる。他の音響機器などの補助の音源に邪魔されずに、マイクロホンが集音した音声で危険な状況を通知することができる。
【００３０】
本発明のプログラムは、マイクロホンから送信されたオーディオ信号を無線によって受信し、前記オーディオ信号に基づく音声を拡声してスピーカから出力するために、音声受信装置に備えられたコンピュータに、前記マイクロホンから緊急信号を受信するステップと、前記緊急信号を受信したときに、前記スピーカから出力するオーディオ信号の音量を抑制するステップと、前記緊急信号を受信したときに、遠隔の場所のために前記オーディオ信号を出力するステップとを実行させる構成を有する。
【００３１】
この構成により、マイクロホンでの拡声を抑制するので、スピーカから出力された音声をマイクロホンが再び集音してしまうことがなく、室内の音響反射によるエコーやマイクロホンがスピーカに接近した場合のハウリングが起こりにくい。従って、遠隔の場所へ聴取性の良いオーディオ信号を出力できる。
【００３２】
本発明の音声受信システムは、上記したマイクロホンと、上記した音声受信装置とを備え、前記音声受信装置は、前記マイクロホンから前記オーディオ信号と前記マイクロホンの緊急スイッチの操作に応じた緊急信号とを受信する構成を有する。
【００３３】
この構成により、緊急信号の受信に応じて、マイクロホンからのオーディオ信号を遠隔の場所へ出力することができるので、緊急時の様子を把握できる。
【００３４】
本発明の音声受信システムにおいて、前記音声受信装置が設けられた空間には聞こえない音量で音声を出力する構成を有する。
【００３５】
この構成により、音声受信装置が設けられた空間とは別の場所にある装置等にオーディオ信号を伝えていることを侵入者に気付かれないようにできる。
【００３６】
本発明の音声受信システムは、上記したマイクロホンと、上記した音声受信装置と、前記マイクロホンが含まれる空間を撮像するカメラとを備え、前記音声受信装置は、緊急モードにおいて、前記オーディオ信号と緊急信号をカメラに入力し、前記カメラは、前記オーディオ信号と、前記緊急信号と、前記カメラにて撮像した画像とをネットワークに送信する構成を有する。
【００３７】
この構成により、マイクロホンからのオーディオ信号と共に、カメラで撮影した画像を伝えることができる。
【発明の効果】
【００３８】
本発明によれば、常に誰かの手元にあることの多いマイクロホンに備えられた緊急スイッチの操作に応じて送信される緊急信号を受信するので、侵入者に気付かれずに緊急モードの音声出力制御に切り替えることができるというすぐれた効果を有する。
【図面の簡単な説明】
【００３９】
【図１】第１の実施の形態の音声受信システムの構成を示す図
【図２】マイクロホンの構成を示す図
【図３】音声処理部の詳細な構成を示す図
【図４】通常状態での拡声装置の動作を示す図
【図５】緊急スイッチが操作されたときの拡声装置の動作を示す図
【図６】緊急スイッチが操作されたときの拡声装置の動作を示す図
【図７】第２の実施の形態の音声受信システムの構成を示す図
【図８】緊急スイッチが操作されたときの拡声装置の動作を示す図
【発明を実施するための形態】
【００４０】
以下、本発明の実施の形態の音声受信システムおよび音声受信装置について図面を参照しながら説明する。以下の説明においては、学校の教室で用いられる音声受信装置について説明するが、音声受信装置は、学校の教室に限らず、教会や会議室、ホール等においても用いることができる。
【００４１】
（第１の実施の形態）
図１は、第１の実施の形態の音声受信システム１の構成を示す図である。第１の実施の形態の音声受信システム１は、複数の教室ＣＲ（Ｃｌａｓｓ  Ｒｏｏｍ）のそれぞれにおいて用いられる拡声装置１０と、複数の拡声装置１０と接続された管理装置４０とを有する。
【００４２】
拡声装置１０は、複数のマイクロホン１１ａ、１１ｂから無線送信されたオーディオ信号を受信し、受信したオーディオ信号に基づく音声を拡声して出力する音声受信装置１３とを有している。以下の説明において、複数のマイクロホン１１ａ、１１ｂを総称する場合は、「マイクロホン１１」という。
【００４３】
マイクロホン１１には、緊急スイッチ１２が設けられている。緊急スイッチ１２が操作されると、マイクロホン１１はトーン信号に含めて緊急信号を無線送信する。緊急信号は、音声受信装置１３に対して、緊急モードでの音声出力制御を要求する信号である。緊急モードは、集音したマイクロホン１１の音声の音量を、緊急通知に支障となるオーディオ信号の音量に対し、相対的に大きくし、集音した音声の聴取性が良い音声を出力するモードである。緊急モードにおける具体的な音声出力制御は後述する。
【００４４】
なお、緊急スイッチ１２は、専用のスイッチであってもよいし、例えば、ファンクションスイッチなどのように、マイクロホン１１に予め備えられている他の機能のスイッチと共用してもよい。ファンクションスイッチを利用する場合、例えば、ファンクションスイッチが所定時間（例えば２秒）以上、長押しされた場合に、マイクロホン１１は、緊急信号を送信するように構成してもよい。
【００４５】
マイクロホン１１としては、通常の手持ちマイク１１ａや、首に掛けてハンズフリーで使用できるタイプのマイク１１ｂ等を用いることができる。本実施の形態では、２本のマイクロホン１１を示しているが、マイクロホン１１の数が２本に限定されないことは言うまでもない。
【００４６】
図２は、マイクロホン１１の構成を示す図である。マイクロホン１１は、音声を集音してオーディオ信号に変換する内蔵マイク６１と、外部機器のオーディオ信号を入力する外部機器オーディオ信号入力部６２と、外部マイクの音声を入力する外部マイク音声入力部６３と、集音または入力されたオーディオ信号の中から出力するオーディオ信号を切り替える音声入力切替部６４を有している。また、マイクロホン１１は、前述した緊急スイッチ１２および図示しないその他のスイッチ等からの入力に基づいてトーン信号をエンコードするトーンエンコーダ６５と、トーン信号を生成するトーン信号生成部６６と、トーン信号と音声入力切替部６４から出力されるオーディオ信号とを混合する混合部６７と、混合されたオーディオ信号をＦＭ変調するＦＭ変調部６８と、アンプ６９を有している。
【００４７】
緊急スイッチ１２が操作されたことを示す信号は、音声入力切替部６４にも入力される。音声入力切替部６４は、緊急スイッチ１２からの信号に従って、音声の切り替えを行う。例えば、マイクロホン１１の音声がミュートされている最中に、緊急スイッチ１２からの信号が入力された場合、音声入力切替部６４は、ミュートを強制的に解除する。また、例えば、外部機器オーディオ信号を入力している最中に、緊急スイッチ１２からの信号が入力された場合、音声入力切替部６４は、外部機器オーディオ信号から、内蔵マイクまたは外部マイク音声入力に強制的に切り替える。このような切替えを行うことにより、緊急時に、マイクロホン１１からの音声を集音することが可能となり、教室内の様子を音声で外部に伝えることが可能となる。
【００４８】
マイクロホン１１から音声受信装置１３へのオーディオ信号の送信には、赤外線通信を用いる。赤外線は、教室ＣＲの壁によって遮断され、外部に漏れない。従って、赤外線通信を用いた場合、隣接する教室ＣＲの拡声装置１０と混信のおそれがなく、隣接する教室ＣＲでも同じマイクロホン１１を使用できる、また音声情報の漏洩が極めて少ない等のメリットがある。なお、本実施の形態では、赤外線通信を用いる例について説明しているが、Ｂｌｕｅｔｏｏｔｈ（登録商標）等の近距離無線を用いてもよい。
【００４９】
音声受信装置１３は、複数のマイクロホン１１から送信された赤外線信号を受信する複数の受光センサ１４と、オーディオ信号を処理する音声処理部１５と、音声を出力するスピーカ２０とを有している。受光センサ１４の数は、用いられるマイクロホン１１の数（すなわちチャネル数）に対応する。受信センサは、マイクロホン１１の赤外線の到達距離に応じて教室全体をカバーできるように、必要な個数が、例えば、天井などに設置される。音声処理部１５は、ＤＶＤ（ＤＶＤビデオオーディオ再生装置）３１、ＴＶ（テレビ）３２からのオーディオ信号を受信するＤＶＤ入力端子１６、ＴＶ入力端子１７を有している。また、音声処理部１５は、緊急信号を出力するリレー出力端子１８、オーディオ信号を出力するライン出力端子１９を有している。ここでリレー端子１８は、緊急モードを検出すると、オン／オフを切り替える、または所定時間オン又はオフとなった後オフ又はオンとなるものである。なお、リレー接点オン／オフの代わりに、トランジスタ等でオン／オフの信号を出力してもよい。
【００５０】
図３は、音声処理部１５の詳細な構成を示す図である。音声処理部１５は、受光センサ１４にて取得した波形をＦＭ（周波数変調）検波してオーディオ信号を取得するＦＭ検波回路２１と、取得したオーディオ信号から音声信号（２０Ｈｚ〜２０ｋＨｚ）を抽出するバンドパスフィルタ（ＢＰＦ）２２と、トーン信号（３２．７６８ｋＨｚ）を抽出するバンドパスフィルタ（ＢＰＦ）２３とを有している。なお、トーン信号は、マイクロホン１１の電源が入っていないときや受信電波が弱いときに発生するＦＭ変調方式特有の可聴雑音や妨害電波の音声の出力を抑制する目的で用いられる信号であり、オーディオ信号に載せて送信される信号である。また、トーン信号は、エンコードされた緊急信号で変調されることによって、緊急信号が伝送される。ちなみに、トーン信号の周波数として、上記周波数以外に、６０Ｈｚ〜８０Ｈｚ、１５ｋＨｚ〜９０ｋＨｚの間の周波数を用いることも可能である。この場合、音声信号としては、それぞれ、１００Ｈｚ〜２０ｋＨｚ、２０Ｈｚ〜１４ｋＨｚを用いることとすれば、トーン信号が、音声信号に入りこまなくすることができる。
【００５１】
音声処理部１５は、抽出された音声信号と、ＤＶＤ３１、ＴＶ３２からの音声信号を加算するミキサ２４を有している。ミキサ２４の出力は、可変アンプ２９を介してスピーカ２０に接続されると共に、別の可変アンプ３０を介してライン出力端子１９に接続される。
【００５２】
また、音声処理部１５は、ＦＭ復調された信号からバンドパスフィルタ２３によって抽出されたトーン信号をデコードするトーンデコーダ２５を有している。トーンデコーダ２５にてデコードされた信号（緊急信号）は、緊急信号検出部２６および表示部２７に入力される。
【００５３】
緊急信号検出部２６は、緊急信号を検出すると、リレー出力端子１８より、管理装置４０に緊急信号を送信すると共に、緊急信号を検出したことを示す信号をミキサ２４、可変アンプ２９，３０に入力する。ミキサ２４は、緊急信号が検出されると、ＤＶＤ３１、ＴＶ３２の音量を抑制する。可変アンプ２９は、スピーカ２０から出力される音量を抑制する。また、可変アンプ３０は、ライン出力される音声信号を増幅する。ここで、スピーカ２０は、音声受信装置１３に内蔵してもよいし、別体のスピーカとして教室内の適切な場所へ設置してもよい。
【００５４】
表示部２７は、入力された信号に基づいてＬＥＤ２８を点灯させる。なお、図３では、トーンデコーダ２５、緊急信号検出部２６、表示部２７を一つずつしか描いていないが、実際には、緊急信号を発する少なくとも１つのマイクロホンの数（ここでは２ｃｈ）のトーンデコーダ２５、緊急信号検出部２６、表示部２７を有している。
【００５５】
図１に戻って、管理装置４０の構成について説明する。管理装置４０は、ミキサ４１と、スピーカ４２と、緊急ランプ４３とを有している。ミキサ４１は、音声受信装置１３から受信した音声信号を処理して、スピーカ４２から音声を出力する機能を有する。また、ミキサ４１は、音声受信装置１３から緊急信号を受信したときに、緊急ランプ４３を点灯させる機能を有する。なお、教室ＣＲと同数の緊急ランプ４３を教室ＣＲの位置関係に対応付けて配置し、ミキサ４１は緊急信号を受信した際に、受信元の音声受信装置１３に対応する緊急ランプ４３を点灯することとしてもよい。これにより、どの教室ＣＲで緊急事態が起こっているかを、容易に把握することができる。また、管理装置４０のミキサ４１は、各教室ＣＲに設けられた構内放送用スピーカ４４と接続されている。
【００５６】
次に、本実施の形態の拡声装置１０の動作について説明する。最初に、通常状態における拡声装置１０の動作について説明し、その後に緊急スイッチ１２が操作された場合の動作について説明する。
【００５７】
図４は、通常状態における拡声装置１０の動作を示す図である。マイクロホン１１にて音声を集音し（Ｓ１０）、音声をオーディオ信号に変換する（Ｓ１２）。マイクロホン１１は、オーディオ信号を音声受信装置１３に送信する（Ｓ１４）。
【００５８】
音声受信装置１３は、ＤＶＤ３１、ＴＶ３２から補助のオーディオ信号の入力を受ける（Ｓ１６）。マイクロホン１１から送信されたオーディオ信号を受信し（Ｓ１８）、受信したオーディオ信号と、補助のオーディオ信号をミキサ２４にて加算する（Ｓ２０）。続いて、音声受信装置１３は、加算したオーディオ信号に基づく音声をスピーカ２０から出力する（Ｓ２２）。なお、図４では、説明の便宜上、補助のオーディオ信号の入力（Ｓ１６）、オーディオ信号の受信（Ｓ１８）の順に記載しているが、実際には、補助の音源であるＤＶＤ３１またはＴＶ３２からは継続的にオーディオ信号が入力され、マイクロホン１１からのオーディオ信号は、継続して受信している。
【００５９】
図５は、緊急スイッチ１２が操作されたときの拡声装置１０の動作を示す図である。図４に示す通常動作中にマイクロホン１１にて緊急スイッチ１２が操作されたことを検知すると（Ｓ３０）、マイクロホン１１は音声受信装置１３に緊急信号を送信する（Ｓ３２）。音声受信装置１３は、緊急信号を受信すると（Ｓ３４）、ＤＶＤ３１、ＴＶ３２からの補助のオーディオ信号の音量を抑制する（Ｓ３６）。
【００６０】
これにより、ＤＶＤ３１、ＴＶ３２の音声によって、教室ＣＲ内の他の音声が遮られることがなく、侵入者の発話内容や教師の発話内容を聴取しやすくなる。なお、ステップＳ３６において、補助のオーディオ信号の音量は、ゼロにしてもよいし、低下させるだけでもよい。侵入者が侵入した途端に補助のオーディオ信号をゼロにすると、何らかの緊急処理を行ったことを侵入者に悟られる可能性があるので、通常より小さい音量で、別の音源の音声を継続して出力してもよい。
【００６１】
ここで、緊急スイッチ１２が一度オン状態になると、音声受信装置１３へ緊急信号が継続的に送信され続けるが、マイクロホン１１の電源オフ／オンにより、マイクロホン１１側の緊急モードは解除されて通常モードとなり、緊急信号の送信は停止される。また、音声受信装置１３は、一度緊急信号を受信すると、緊急モードを維持したままとなるが、通常モードに復帰したマイクロホン１１または他の通常モードで動作中のマイクロホン１１より緊急信号のない音声信号を受信すると、緊急モードの前の状態へ戻る。これによって、音声受信装置１３の各音量設定は、緊急モードとなった直前の設定へ復帰する。
【００６２】
図６は、緊急スイッチ１２が操作されたときの拡声装置１０の別の動作を示す図である。マイクロホン１１にて緊急スイッチ１２が操作されたことを検知すると（Ｓ３０）、マイクロホン１１は音声受信装置１３に緊急信号を送信する（Ｓ３２）。音声受信装置１３は、緊急信号を受信すると（Ｓ３４）、マイクロホン１１からのオーディオ信号の音量を抑制する（Ｓ３８）と共に、緊急信号およびオーディオ信号を遠隔に位置する管理装置４０に送信する（Ｓ４０）。なお、複数のマイクロホン１１からのオーディオ信号の音量を、緊急信号の送信元のマイクロホン１１に連動して制御してもよい。
【００６３】
管理装置４０は、緊急信号を受信すると（Ｓ４２）、緊急ランプ４３を点灯させ（Ｓ４４）、受信したオーディオ信号をスピーカ４２から出力する（Ｓ４６）。また、管理装置４０は、構内放送用スピーカ４４にて緊急事態が発生したことを緊急放送する（Ｓ４８）。この緊急放送には、受信したオーディオ信号を用いてもよい。なお、この際に、緊急信号の送信元の音声受信装置１３が設けられた教室ＣＲおよびその周辺の教室ＣＲには、緊急放送を行わない。緊急放送は、マイクロホン１１が位置する空間、音声受信装置１３が備えられた空間へは聞こえない。音波としてこれら空間へ伝わったとしても、放送の内容が理解できない程度に、これら空間内の音量は、周辺の教室へ放送される緊急放送の音量よりも小さく、聴取性が低いものであればよい。これにより、侵入者をいたずらに刺激しないようにできる。
【００６４】
図６に示す動作によれば、スピーカ２０から出力される音量が小さくなるので、スピーカ２０からの音声をマイクロホン１１で拾ってしまうことに起因して生じるエコーやハウリングを効果的に防止できる。従って、管理装置４０に音質の良い音声を送信することができる。
【００６５】
なお、上記の説明では、拡声装置１０の動作を図５と図６に分けて説明したが、拡声装置１０は、図５に示す動作を図６に示す動作の両方を行うこととしてもよい。
【００６６】
（第２の実施の形態）
図７は、第２の実施の形態の音声受信システム２および拡声装置１０の構成を示す図である。第２の実施の形態の音声受信システム２および拡声装置１０の基本的な構成は、第１の実施の形態と同じであるが、第２の実施の形態においては、拡声装置１０にカメラ３３が接続されている点が異なる。第２の実施の形態では、音声受信装置１３と管理装置４０とを直接接続する構成に代えて、管理装置４０は、カメラ３３からネットワークを経由して接続されている。ここで、カメラ３３の構成について説明する。
【００６７】
カメラ３３は、教室ＣＲ内の様子を撮像するズーム機能付きの撮像部３４と、音声処理部１５のライン出力端子１９と接続された音声入力インターフェース３５と、音声処理部１５のリレー出力端子１８と接続された接点入力インターフェース３６とを有している。また、カメラ３３は、撮像部３４にて撮像した画像と、音声入力インターフェース３５より入力された音声信号と、接点入力インターフェース３６より入力された緊急信号を重畳するマルチプレクサ（ＭＵＸ）３７と、マルチプレクサ３７にて重畳した信号をネットワークに送信するネットワークインターフェース３８とを有している。
【００６８】
カメラ３３のネットワークインターフェース３８は、ゲートウェイ５１を介してインターネット５２に接続されている。従って、カメラ３３は、宛先に適切なアドレスを指定することにより、重畳された信号を、例えば、警備会社や市町村役場へ送信することができる。また、ネットワークインターフェース３８は、ゲートウェイ５１を介して、管理装置４０にも接続されている。カメラ３３からの信号は、ハブ５３を介して、管理装置４０のＰＣ４５に入力されると共に、ハブ５３とネットワークインターフェース４６を介してミキサ４１に入力される。なお、ＰＣ４５は、管理装置４０から独立して設けられてもよい。
【００６９】
次に、第２の実施の形態の拡声装置１０の動作について説明する。第２の実施の形態の拡声装置１０の通常状態の動作は、第１の実施の形態と同じである（図４参照）。また、第２の実施の形態においても、第１の実施の形態と同様に、補助オーディオ信号の音量を抑制したり（図５参照）、マイクロホン１１からのオーディオ信号を抑制する動作を行う（図６参照）。第２の実施の形態では、第１の実施の形態と異なり、カメラ３３を介してオーディオ信号や緊急信号をネットワークに送信するので、この動作について説明する。
【００７０】
図８は、第２の実施の形態の拡声装置１０の動作を示す図である。マイクロホン１１にて緊急スイッチ１２が操作されたことを検知すると（Ｓ５０）、マイクロホン１１は音声受信装置１３に緊急信号を送信する（Ｓ５２）。音声受信装置１３は、緊急信号を受信すると（Ｓ５４）、緊急信号とオーディオ信号をカメラ３３に送信する（Ｓ５６）。
【００７１】
カメラ３３は、常時、教室ＣＲ内の様子を撮像している（Ｓ５８）。カメラ３３は、音声受信装置１３から送信された緊急信号とオーディオ信号を受信すると（Ｓ６０）、緊急信号とオーディオ信号とカメラ３３で撮像した映像を重畳し（Ｓ６２）、重畳した信号をネットワークに送信する（Ｓ６４）。管理装置４０は、重畳した信号を受信し、ミキサ４１によって緊急信号とオーディオ信号が再生され、ＰＣ４５よって映像が再生される。ＰＣ４５は、映像に加えて、緊急信号、オーディオ信号の少なくとも１つを再生してもよい。また、重畳と送受信は、電子メール本文や添付、またはストリーミングであるがこれらに限定されるものではない。これにより、教室ＣＲ内の音声に加えて映像を送受信することにより、より詳しい情報を外部に提供することができる。ここで、映像は動画像または少なくとも１枚以上の静止画であってよい。また、ネットワーク経由で送信するので、管理装置４０のみならず、適切な宛先に情報を送信することができる。ここで、カメラ３３は、緊急信号を受信すると、そのときのズーム角よりもズームアウトさせることで、教室を隅々まで撮像できるようにしてもよい。
【００７２】
以上、本発明の音声受信システムおよび音声受信装置について、実施の形態を挙げて詳細に説明したが、本発明は上記した実施の形態に限定されるものではない。
【００７３】
上記した実施の形態では、リレー出力端子１８、ライン出力端子１９と管理装置４０が直接に接続される第１の実施の形態と、カメラ３３を介してネットワークに接続される第２の実施の形態を、別の実施の形態として説明したが、上記した２つの実施の形態を組み合わせることも可能である。例えば、第２の実施の形態において、カメラ３３は、緊急信号のみを音声受信装置１３から受信し、緊急信号と撮像映像を重畳してネットワークへ送信してもよい。また、音声は、カメラ３３に内蔵マイクまたは外付けマイクがあれは、このオーディオ信号を緊急信号と重畳してネットワークへ送信してもよい。さらに、カメラ３３からは前述の如く、緊急信号と映像信号を重畳してネットワークへ送信し、オーディオ信号は、音声受信装置１３の出力信号をネットワークへ送信することとしてもよい。
【００７４】
上記した実施の形態では、緊急モードにおいて、可変アンプ２９は、スピーカ２０から出力される音量を抑制する例について説明したが、音声受信装置１３またはマイクロホン１１は、緊急スイッチ１２の操作に応じて、マイクロホン１１の音量（内蔵マイクまたは外部マイク音声入力の音量）を大きくしてもよい。これにより、マイクロホン１１が位置する空間の音を聞き取りやすくなる。
【００７５】
上記した実施の形態では、音声処理部１５の構成を回路によって構成する例について説明したが、音声処理部１５はソフトウェアによって構成することも可能である。上記した図４〜図６または図８に示す動作の各ステップを、音声受信装置１３に備えられたコンピュータ（制御部）に実行させるためのプログラムも本発明の範囲に含まれる。
【産業上の利用可能性】
【００７６】
以上説明したように、本発明によれば、常に誰かの手元にあることの多いマイクロホンに備えられた緊急スイッチの操作に応じて送信される緊急信号を受信するので、侵入者に気付かれずに緊急モードの音声出力制御に切り替えることができるというすぐれた効果を有し、学校の教室、教会、会議室、ホール等の建物内で用いられる拡声装置等として有用である。
【符号の説明】
【００７７】
１，２  音声受信システム
１０  拡声装置
１１  マイクロホン
１２  緊急スイッチ
１３  音声受信装置
１４  受光センサ
１５  音声処理部
１６  ＤＶＤ入力端子
１７  ＴＶ入力端子
１８  リレー出力端子
１９  ライン出力端子
２０  スピーカ
２１  ＦＭ検波回路
２２，２３  バンドパスフィルタ
２４  ミキサ
２５  トーンデコーダ
２６  緊急信号検出部
２７  表示部
２８  ＬＥＤ
２９，３０  可変アンプ
３１  ＤＶＤ
３２  ＴＶ
３３  カメラ
３４  撮像部
３５  音声入力インターフェース
３６  接点入力インターフェース
３７  マルチプレクサ
３８  ネットワークインターフェース
４０  管理装置
４１  ミキサ
４２  スピーカ
４３  緊急ランプ
４４  構内放送用スピーカ
４５  ＰＣ
４６  ネットワークインターフェース
５１  ゲートウェイ
５２  インターネット
５３  ハブ
６１  内蔵マイク
６２  外部機器オーディオ信号入力部
６３  外部マイク音声入力部
６４  音声入力切替部
６５  トーンエンコーダ
６６  トーン信号生成部
６７  混合部
６８  ＦＭ変調部
６９  アンプ
【図１】
2010257137.tif 000003
【図２】
2010257137.tif 000004
【図３】
2010257137.tif 000005
【図４】
2010257137.tif 000006
【図５】
2010257137.tif 000007
【図６】
2010257137.tif 000008
【図７】
2010257137.tif 000009
【図８】
2010257137.tif 000010
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行う音声受信装置。
【請求項２】
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制する請求項１に記載の音声受信装置。
【請求項３】
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
遠隔の場所のために前記オーディオ信号を出力する信号出力部と、
を備え、
前記音量調整部は、前記緊急モードにおいて、スピーカに出力するオーディオ信号の音量を抑制する請求項１に記載の音声受信装置。
【請求項４】
前記音量調整部は、前記緊急モードにおいて、前記信号出力部に出力するオーディオ信号の音量を上げる請求項３に記載の音声受信装置。
【請求項５】
前記音量調整部は、前記緊急モードにおいて、複数のマイクロホンのうちで緊急信号を受信したマイクロホンからのオーディオ信号の音量と、他のマイクロホンからのオーディオ信号の音量を同じ方向に増減させる請求項１〜４のいずれかに記載の音声受信装置。
【請求項６】
前記音量調整部は、前記緊急モードにおいて、複数のマイクロホンのうちで緊急信号を受信したマイクロホンからのオーディオ信号の音量と、他のマイクロホンからのオーディオ信号の音量を反対の方向に増減させる請求項１〜４のいずれかに記載の音声受信装置。
【請求項７】
前記緊急信号の受信に応じて、前記緊急信号を外部に出力するための電気接点を有する請求項１〜６のいずれかに記載の音声受信装置。
【請求項８】
請求項１乃至７のいずれか１項に記載の音声受信装置であって、
前記緊急信号を少なくとも１回受信すると緊急モードを維持し、緊急信号を含まない前記マイクロホンからの音声信号を受信すると緊急モード前の状態に復帰することを特徴とする音声受信装置。
【請求項９】
請求項１乃至８のいずれか１項に記載の音声受信装置であって、
前記緊急信号としてエンコードされたトーン信号を含む音声信号を検波する検波部と、該検波部により検波された音声信号から前記トーン信号を抽出するバンドパスフィルタと、抽出された前記トーン信号から緊急信号を検出する緊急信号検出部とを有することを特徴とする音声受信装置。
【請求項１０】
マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力する音声受信装置による音声処理方法であって、
前記音声受信装置が、前記マイクロホンから緊急信号を受信するステップと、
前記音声受信装置が、前記マイクロホンからのオーディオ信号および前記補助のオーディオ信号の音量を調整するステップであって、前記緊急信号を受信したときに、前記補助のオーディオ信号の音量を抑制するステップと、
前記音声受信装置が、前記オーディオ信号および前記補助のオーディオ信号に基づく音声を前記スピーカから出力するステップと、
を備える音声処理方法。
【請求項１１】
マイクロホンから送信されたオーディオ信号を無線によって受信し、前記オーディオ信号に基づく音声を拡声してスピーカから出力する音声受信装置による音声処理方法であって、
前記音声受信装置が、前記マイクロホンから緊急信号を受信するステップと、
前記音声受信装置が、前記緊急信号を受信したときに、前記スピーカから出力するオーディオ信号の音量を抑制するステップと、
前記音声受信装置が、前記緊急信号を受信したときに、遠隔の場所のために前記オーディオ信号を出力するステップと、
を備える音声処理方法。
【請求項１２】
マイクロホンと、請求項１〜９のいずれかに記載の音声受信装置と、を備え、
前記音声受信装置は、前記マイクロホンから前記オーディオ信号と前記マイクロホンの緊急スイッチの操作に応じた緊急信号とを受信する音声受信システム。
【請求項１３】
前記音声受信装置が設けられた空間には聞こえない音量で音声を出力する請求項１２に記載の音声受信システム。
【請求項１４】
マイクロホンと、請求項１〜９のいずれかに記載の音声受信装置と、前記マイクロホンが含まれる空間を撮像するカメラと、を備え、
前記音声受信装置は、緊急モードにおいて、前記オーディオ信号と緊急信号をカメラに入力し、
前記カメラは、前記オーディオ信号と、前記緊急信号と、前記カメラにて撮像した画像とをネットワークに送信する音声受信システム。
【請求項１５】
請求項１記載の音声受信装置にオーディオ信号を送信するワイヤレスマイクロホンであって、
前記緊急スイッチを操作すると、前記緊急信号を送信するとともに該ワイヤレスマイクロホンの内蔵マイクまたは外部マイクの音量を上げることを特徴とするワイヤレスマイクロホン。
【請求項１６】
請求項１記載の音声受信装置にオーディオ信号を送信するワイヤレスマイクロホンであって、
前記緊急スイッチを操作すると、該ワイヤレスマイクロホンの外部機器オーディオ信号入力から、該ワイヤレスマイクロホンの内蔵マイク入力または外部マイク入力へと音声信号入力を切り替えることを特徴とするワイヤレスマイクロホン。
【請求項１７】
請求項９記載の音声受信装置に第２のオーディオ信号を送信するワイヤレスマイクロホンであって、
前記緊急スイッチからの入力に基づいてトーン信号をエンコードするトーンエンコーダと、エンコードされた前記トーン信号に基づきトーン信号を生成するトーン信号生成部と、生成されたトーン信号および該ワイヤレスマイクロホンの外部機器オーディオ信号入力または内蔵マイク入力または外部マイク入力からの第１のオーディオ信号を混合し前記第２のオーディオ信号を生成する混合部とを有することを特徴とするワイヤレスマイクロホン。
【請求項１８】
請求項１４記載の音声受信システムであって、
前記緊急モード時に、前記カメラを広角とし、かつ前記音声受信装置のライン出力をマイク入力へと切り替えるとともに音量制御することを特徴とする音声受信システム。
【手続補正２】
【補正対象書類名】明細書
【補正対象項目名】００２２
【補正方法】変更
【補正の内容】
【００２２】
本発明の音声受信装置は、前記緊急信号を少なくとも１回受信すると緊急モードを維持し、緊急信号を含まない前記マイクロホンからの音声信号を受信すると緊急モード前の状態に復帰する構成を有する。
【手続補正３】
【補正対象書類名】明細書
【補正対象項目名】００２３
【補正方法】変更
【補正の内容】
【００２３】
この構成により、マイクロホンからの緊急信号が送信されなくなっても、音声受信装置側で緊急モードを維持できる。
【手続補正４】
【補正対象書類名】明細書
【補正対象項目名】００２４
【補正方法】変更
【補正の内容】
【００２４】
本発明の音声受信装置は、前記緊急信号としてエンコードされたトーン信号を含む音声信号を検波する検波部と、該検波部により検波された音声信号から前記トーン信号を抽出するバンドパスフィルタと、抽出された前記トーン信号から緊急信号を検出する緊急信号検出部とを有する構成を有する。
【手続補正５】
【補正対象書類名】明細書
【補正対象項目名】００２５
【補正方法】変更
【補正の内容】
【００２５】
この構成により、トーン信号の本来の目的である可聴雑音または妨害電波の音声の出力を抑制するためだけでなく、トーン信号を緊急信号送信のためにも使用することができ、ハードウェアを簡略化できる。
【手続補正６】
【補正対象書類名】明細書
【補正対象項目名】００２６
【補正方法】変更
【補正の内容】
【００２６】
本発明の音声処理方法は、マイクロホンから送信されたオーディオ信号を無線によって受信すると共に、前記マイクロホンとは異なる音源から補助のオーディオ信号を受信し、前記オーディオ信号および前記補助のオーディオ信号に基づく音声を拡声してスピーカから出力する音声受信装置による音声処理方法であって、前記音声受信装置が、前記マイクロホンから緊急信号を受信するステップと、前記音声受信装置が、前記マイクロホンからのオーディオ信号および前記補助のオーディオ信号の音量を調整するステップであって、前記緊急信号を受信したときに、前記補助のオーディオ信号の音量を抑制するステップと、前記音声受信装置が、前記オーディオ信号および前記補助のオーディオ信号に基づく音声を前記スピーカから出力するステップとを備える。
【手続補正７】
【補正対象書類名】明細書
【補正対象項目名】００２７
【補正方法】変更
【補正の内容】
【００２７】
この構成により、緊急時に不必要な補助の音源の音量を抑制するので、他の音声が聞こえやすくなる。他の音響機器などの補助の音源に邪魔されずに、マイクロホンが集音した音声で、危険な状況を通知することができる。
【手続補正８】
【補正対象書類名】明細書
【補正対象項目名】００２８
【補正方法】変更
【補正の内容】
【００２８】
本発明の音声処理方法は、マイクロホンから送信されたオーディオ信号を無線によって受信し、前記オーディオ信号に基づく音声を拡声してスピーカから出力する音声受信装置による音声処理方法であって、前記音声受信装置が、前記マイクロホンから緊急信号を受信するステップと、前記音声受信装置が、前記緊急信号を受信したときに、前記スピーカから出力するオーディオ信号の音量を抑制するステップと、前記音声受信装置が、前記緊急信号を受信したときに、遠隔の場所のために前記オーディオ信号を出力するステップとを備える。
【手続補正９】
【補正対象書類名】明細書
【補正対象項目名】００２９
【補正方法】変更
【補正の内容】
【００２９】
この構成により、マイクロホンでの拡声を抑制するので、スピーカから出力された音声をマイクホンが再び集音してしまうことがなく、室内の音響反射によるエコーや、マイクロホンがスピーカに接近した場合のハウリングが起こりにくい。従って、遠隔の場所に聴取性の良いオーディオ信号を出力できる。
【手続補正１０】
【補正対象書類名】明細書
【補正対象項目名】００３０
【補正方法】変更
【補正の内容】
【００３０】
本発明の音声受信システムは、上記したマイクロホンと、上記した音声受信装置とを備え、前記音声受信装置は、前記マイクロホンから前記オーディオ信号と前記マイクロホンの緊急スイッチの操作に応じた緊急信号とを受信する構成を有する。
【手続補正１１】
【補正対象書類名】明細書
【補正対象項目名】００３１
【補正方法】変更
【補正の内容】
【００３１】
この構成により、緊急信号の受信に応じて、マイクロホンからのオーディオ信号を遠隔の場所へ出力することができるので、緊急時の様子を把握できる。
【手続補正１２】
【補正対象書類名】明細書
【補正対象項目名】００３２
【補正方法】変更
【補正の内容】
【００３２】
本発明の音声受信システムにおいて、前記音声受信装置が設けられた空間には聞こえない音量で音声を出力する構成を有する。
【手続補正１３】
【補正対象書類名】明細書
【補正対象項目名】００３３
【補正方法】変更
【補正の内容】
【００３３】
この構成により、音声受信装置が設けられた空間とは別の場所にある装置等にオーディオ信号を伝えていることを侵入者に気付かれないようにできる。
【手続補正１４】
【補正対象書類名】明細書
【補正対象項目名】００３４
【補正方法】変更
【補正の内容】
【００３４】
本発明の音声受信システムは、上記したマイクロホンと、上記した音声受信装置と、前記マイクロホンが含まれる空間を撮像するカメラとを備え、前記音声受信装置は、緊急モードにおいて、前記オーディオ信号と緊急信号をカメラに入力し、前記カメラは、前記オーディオ信号と、前記緊急信号と、前記カメラにて撮像した画像とをネットワークに送信する構成を有する。
【手続補正１５】
【補正対象書類名】明細書
【補正対象項目名】００３５
【補正方法】変更
【補正の内容】
【００３５】
この構成により、マイクロホンからのオーディオ信号と共に、カメラで撮影した画像を伝えることができる。
【手続補正１６】
【補正対象書類名】明細書
【補正対象項目名】００３６
【補正方法】変更
【補正の内容】
【００３６】
本発明のワイヤレスマイクロホンは、音声受信装置にオーディオ信号を送信するワイヤレスマイクロホンであって、前記緊急スイッチを操作すると、前記緊急信号を送信するとともに該ワイヤレスマイクロホンの内蔵マイクまたは外部マイクの音量を上げる構成を有する。
【手続補正１７】
【補正対象書類名】明細書
【補正対象項目名】００３７
【補正方法】変更
【補正の内容】
【００３７】
この構成により、音声受信装置へ明瞭なマイク集音音声を送信することができる。
また、本発明のワイヤレスマイクロホンは、音声受信装置にオーディオ信号を送信するワイヤレスマイクロホンであって、前記緊急スイッチを操作すると、該ワイヤレスマイクロホンの外部機器オーディオ信号入力から、該ワイヤレスマイクロホンの内蔵マイク入力または外部マイク入力へと音声信号入力を切り替える構成を有する。
この構成により、外部機器オーディオ信号ではなく、教室内のマイクで集音された音声を音声受信装置へ送信することができる。
また、本発明のワイヤレスマイクロホンは、音声受信装置に第２のオーディオ信号を送信するワイヤレスマイクロホンであって、前記緊急スイッチからの入力に基づいてトーン信号をエンコードするトーンエンコーダと、エンコードされた前記トーン信号に基づきトーン信号を生成するトーン信号生成部と、生成されたトーン信号および該ワイヤレスマイクロホンの外部機器オーディオ信号入力または内蔵マイク入力または外部マイク入力からの第１のオーディオ信号を混合し前記第２のオーディオ信号を生成する混合部とを有する構成を有する。
この構成により、FM変調特有のノイズ低減のために用いられるトーン信号を緊急信号の送信にも使用でき、ハードウェアを簡略化できる。
また本発明の音声受信システムは、前記緊急モード時に、前記カメラを広角とし、かつ前記音声受信装置のライン出力をマイク入力へと切り替えるとともに音量制御する構成を有する。
この構成により、緊急時の教室内の映像を隅々まで撮像できるとともに、管理装置へ教室内のマイクの音声をモニターすることができる。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記緊急信号としてエンコードされたトーン信号を含む音声信号を検波する検波部と、
該検波部により検波された音声信号から前記トーン信号を抽出するバンドパスフィルタと、
抽出された前記トーン信号から緊急信号を検出する緊急信号検出部とを有することを特徴とする音声受信装置。
【請求項２】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、前記緊急信号を少なくとも１回受信すると緊急モードを維持し、緊急信号を含まない前記マイクロホンからの音声信号を受信すると緊急モード前の状態に復帰することを特徴とする音声受信装置。
【請求項３】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制するとともに、前記複数のマイクロホンのうちで緊急信号を受信したマイクロホンからのオーディオ信号の音量と、他のマイクロホンからのオーディオ信号の音量を同じ方向に増減させることを特徴とする音声受信装置。
【請求項４】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
遠隔の場所のために前記オーディオ信号を出力する信号出力部と、
を備え、
前記音量調整部は、前記緊急モードにおいて、スピーカに出力するオーディオ信号の音量を抑制するとともに、前記複数のマイクロホンのうちで緊急信号を受信したマイクロホンからのオーディオ信号の音量と、他のマイクロホンからのオーディオ信号の音量を同じ方向に増減させることを特徴とする音声受信装置。
【請求項５】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制するとともに、前記複数のマイクロホンのうちで緊急信号を受信したマイクロホンからのオーディオ信号の音量と、他のマイクロホンからのオーディオ信号の音量を反対の方向に増減させることを特徴とする音声受信装置。
【請求項６】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
遠隔の場所のために前記オーディオ信号を出力する信号出力部と、
を備え、
前記音量調整部は、前記緊急モードにおいて、スピーカに出力するオーディオ信号の音量を抑制するとともに、前記複数のマイクロホンのうちで緊急信号を受信したマイクロホンからのオーディオ信号の音量と、他のマイクロホンからのオーディオ信号の音量を反対の方向に増減させることを特徴とする音声受信装置。
【請求項７】
前記音量調整部は、前記緊急モードにおいて、前記信号出力部に出力するオーディオ信号の音量を上げることを特徴とする請求項４または６に記載の音声受信装置。
【請求項８】
前記緊急信号の受信に応じて、前記緊急信号を外部に出力するための電気接点を有することを特徴とする請求項１〜７のいずれかに記載の音声受信装置。
【請求項９】
集音した音声をオーディオ信号に変換して無線送信する一つまたは複数のマイクロホンから送信されたオーディオ信号を受信し、前記オーディオ信号に基づく音声を拡声して出力する音声受信方法であって、
前記マイクロホンの緊急スイッチの操作に応じて送信される緊急信号を受信したときに、緊急モードでの音声出力制御を行い、
前記緊急信号としてエンコードされたトーン信号を含む音声信号を検波し、
検波された音声信号から前記トーン信号を抽出し、
抽出された前記トーン信号から緊急信号を検出することを特徴とする音声受信方法。
【請求項１０】
一つまたは複数のマイクロホンと、請求項１〜８のいずれかに記載の音声受信装置と、を備え、
前記音声受信装置は、前記マイクロホンから前記オーディオ信号と前記マイクロホンの緊急スイッチの操作に応じた緊急信号とを受信することを特徴とする音声受信システム。
【請求項１１】
前記音声受信装置が設けられた空間には聞こえない音量で音声を出力することを特徴とする請求項１０に記載の音声受信システム。
【請求項１２】
集音した音声をオーディオ信号に変換して無線送信する一つまたは複数のマイクロホンと、前記オーディオ信号を受信し、該オーディオ信号に基づく音声を拡声して出力する音声受信装置と、前記マイクロホンが含まれる空間を撮像するカメラと、を備え、
前記音声受信装置は、前記マイクロホンの緊急スイッチの操作に応じて送信される緊急信号を受信したときに、緊急モードでの音声出力制御を行い、
前記緊急モードにおいて、前記オーディオ信号と緊急信号をカメラに入力し、
前記カメラは、前記オーディオ信号と、前記緊急信号と、前記カメラにて撮像した画像とをネットワークに送信することを特徴とする音声受信システム。
【請求項１３】
請求項１２記載の音声受信システムであって、
前記緊急モード時に、前記カメラを広角とし、かつ前記音声受信装置のライン出力をマイク入力へと切り替えるとともに音量制御することを特徴とする音声受信システム。
【請求項１４】
請求項１記載の音声受信装置に第２のオーディオ信号を送信するワイヤレスマイクロホンであって、
前記緊急スイッチからの入力に基づいてトーン信号をエンコードするトーンエンコーダと、エンコードされた前記トーン信号に基づきトーン信号を生成するトーン信号生成部と、生成されたトーン信号および該ワイヤレスマイクロホンの外部機器オーディオ信号入力または内蔵マイク入力または外部マイク入力からの第１のオーディオ信号を混合し前記第２のオーディオ信号を生成する混合部とを有することを特徴とするワイヤレスマイクロホン。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記緊急信号としてエンコードされたトーン信号を含む音声信号を検波する検波部と、
該検波部により検波された音声信号から前記トーン信号を抽出するバンドパスフィルタと、
抽出された前記トーン信号から緊急信号を検出する緊急信号検出部とを有することを特徴とする音声受信装置。
【請求項２】
集音した音声をオーディオ信号に変換して無線送信する一つまたは複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、前記緊急信号を少なくとも１回受信すると緊急モードを維持し、緊急信号を含まない前記マイクロホンからの音声信号を受信すると緊急モード前の状態に復帰することを特徴とする音声受信装置。
【請求項３】
集音した音声をオーディオ信号に変換して無線送信する複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制するとともに、前記複数のマイクロホンのうちで緊急信号を受信したマイクロホンからのオーディオ信号の音量と、他のマイクロホンからのオーディオ信号の音量を同じ方向に増減させることを特徴とする音声受信装置。
【請求項４】
集音した音声をオーディオ信号に変換して無線送信する複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
管理装置に前記オーディオ信号を出力する信号出力部と、
を備え、
前記音量調整部は、前記緊急モードにおいて、スピーカに出力するオーディオ信号の音量を抑制するとともに、前記信号出力部に出力する複数のマイクロホンからのオーディオ信号について、前記複数のマイクロホンのうちで緊急信号を受信したマイクロホンからのオーディオ信号の音量と、他のマイクロホンからのオーディオ信号の音量を同じ方向に増減させることを特徴とする音声受信装置。
【請求項５】
集音した音声をオーディオ信号に変換して無線送信する複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンとは異なる音源から補助のオーディオ信号を入力する入力部と、
前記マイクロホンからのオーディオ信号および前記補助のオーディオ信号の音量を調整する音量調整部と、
前記オーディオ信号および前記補助のオーディオ信号に基づく音声の出力部と、
を備え、
前記音量調整部は、前記緊急モードにおいて、前記補助のオーディオ信号の音量を抑制するとともに、前記複数のマイクロホンのうちで緊急信号を受信したマイクロホンからのオーディオ信号の音量と、他のマイクロホンからのオーディオ信号の音量を反対の方向に増減させることを特徴とする音声受信装置。
【請求項６】
集音した音声をオーディオ信号に変換して無線送信する複数のマイクロホンから送信されたオーディオ信号を受信し、前記オーディオ信号に基づく音声を拡声して出力する音声受信装置であって、
前記マイクロホンの緊急スイッチの操作に応じて送信される緊急信号を受信したときに、緊急モードでの音声出力制御を行い、
前記音声受信装置は、
前記マイクロホンからオーディオ信号および緊急信号を受信する受信部と、
前記マイクロホンから受信したオーディオ信号の音量を調整する音量調整部と、
前記オーディオ信号に基づく音声の出力部と、
管理装置に前記オーディオ信号を出力する信号出力部と、
を備え、
前記音量調整部は、前記緊急モードにおいて、スピーカに出力するオーディオ信号の音量を抑制するとともに、前記信号出力部に出力する複数のマイクロホンからのオーディオ信号について、前記複数のマイクロホンのうちで緊急信号を受信したマイクロホンからのオーディオ信号の音量と、他のマイクロホンからのオーディオ信号の音量を反対の方向に増減させることを特徴とする音声受信装置。
【請求項７】
前記音量調整部は、前記緊急モードにおいて、前記信号出力部に出力するオーディオ信号の音量を上げることを特徴とする請求項４に記載の音声受信装置。
【請求項８】
前記緊急信号の受信に応じて、前記緊急信号を外部に出力するための電気接点を有することを特徴とする請求項１〜７のいずれかに記載の音声受信装置。
【請求項９】
集音した音声をオーディオ信号に変換して無線送信する一つまたは複数のマイクロホンから送信されたオーディオ信号を受信し、前記オーディオ信号に基づく音声を拡声して出力する音声受信方法であって、
前記マイクロホンの緊急スイッチの操作に応じて送信される緊急信号を受信したときに、緊急モードでの音声出力制御を行い、
前記緊急信号としてエンコードされたトーン信号を含む音声信号を検波し、
検波された音声信号から前記トーン信号を抽出し、
抽出された前記トーン信号から緊急信号を検出することを特徴とする音声受信方法。
【請求項１０】
一つまたは複数のマイクロホンと、請求項１〜８のいずれかに記載の音声受信装置と、を備え、
前記音声受信装置は、前記マイクロホンから前記オーディオ信号と前記マイクロホンの緊急スイッチの操作に応じた緊急信号とを受信することを特徴とする音声受信システム。
【請求項１１】
前記音声受信装置からオーディオ信号を受信する管理装置を備え、
前記管理装置は、前記マイクロホンが位置する空間への音量が該空間以外の空間への音量よりも小さい音量で音声を出力することを特徴とする請求項１０に記載の音声受信システム。
【請求項１２】
集音した音声をオーディオ信号に変換して無線送信する一つまたは複数のマイクロホンと、前記オーディオ信号を受信し、該オーディオ信号に基づく音声を拡声して出力する音声受信装置と、前記マイクロホンが含まれる空間を撮像するカメラと、を備え、
前記音声受信装置は、前記マイクロホンの緊急スイッチの操作に応じて送信される緊急信号を受信したときに、緊急モードでの音声出力制御を行い、
前記緊急モードにおいて、前記オーディオ信号と緊急信号をカメラに入力し、
前記カメラは、前記オーディオ信号と、前記緊急信号と、前記カメラにて撮像した画像とをネットワークに送信することを特徴とする音声受信システム。
【請求項１３】
請求項１２記載の音声受信システムであって、
前記緊急モード時に、前記カメラを広角とし、かつ前記音声受信装置のライン出力をマイク入力へと切り替えるとともに音量制御することを特徴とする音声受信システム。
【請求項１４】
請求項１記載の音声受信装置にオーディオ信号を送信するワイヤレスマイクロホンであって、
前記緊急スイッチからの入力に基づいてトーン信号をエンコードするトーンエンコーダと、
エンコードされた前記トーン信号に基づきトーン信号を生成するトーン信号生成部と、
生成されたトーン信号と該ワイヤレスマイクロホンの外部機器オーディオ信号入力または内蔵マイク入力または外部マイク入力からのオーディオ信号とを混合し、前記音声受信装置に送信するオーディオ信号を生成する混合部と、
を有することを特徴とするワイヤレスマイクロホン。